(57)【要約】【課題】デジタル放送を受信しこのデジタル放送信号を効率的に暗号処理するチューナーモジュールを提供することを目的とする。【解決手段】デジタル放送を受信するアンテナからの信号を復調する復調手段２と、復調手段２により復調された信号をデスクランブルするデスクランブラ３と、受信機８の認証をする認証処理手段５と、認証処理手段５により受信機８と相互に認証した後、受信機８から選択支持されたコンテンツを含むデスクランブラ３からの信号を暗号化処理し、受信機８から選択指示されなかったコンテンツを含むデスクラブラ３からの信号を無効信号化する暗号処理手段４とを具備することを特徴とするチューナーモジュール。【選択図】      図１
2004173027.tif 000002
【特許請求の範囲】
【請求項１】
デジタル放送を受信するアンテナからの信号を復調する復調手段と、
前記復調手段により復調された信号をデスクランブルするデスクランブラと、
受信機の認証をする認証処理手段と、
前記認証処理手段により前記受信機と相互に認証した後、前記受信機から選択支持されたコンテンツを含む前記デスクランブラからの信号を暗号化処理し、前記受信機から選択指示されなかったコンテンツを含む前記デスクラブラからの信号を無効信号化する暗号処理手段とを具備することを特徴とするチューナーモジュール。
【請求項２】
前記暗号化処理手段は、著作権保護する必要のない信号をそのままの信号で、前記受信機に送信することを特徴とする請求項１記載のチューナーモジュール。
【請求項３】
前記無信号化は、ヌルパケット化或いは０埋め処理を施すことを特徴とする請求項１或いは請求項２記載のチューナーモジュール。
【請求項４】
デジタル放送を受信するアンテナからの信号を復調する復調手段、前記復調手段により復調された信号をデスクランブルするデスクランブラ、前記デスクランブラからの信号を暗号化する暗号処理手段及び機器の認証をする認証処理手段とを具備するチューナーモジュールと、少なくとも暗号化された信号を復号化する復号処理手段、ＭＰＥＧデコード処理手段及び機器の認証をする認証処理手段とを具備する受信機と接続してデジタル放送受信器として用いる場合、
前記チューナーモジュールは、前記認証処理手段により前記受信機と相互に認証した後、前記受信機から選択指示されたコンテンツを前記暗号処理手段により暗号化して及び前記受信機から選択指示されなかったコンテンツを無効信号化して前記受信機に送信することを特徴とする暗号化処理方法。
【請求項５】
前記暗号化処理手段は、著作権保護する必要のない信号をそのままの信号で、前記受信機に送信することを特徴とする請求項４記載の暗号化処理方法。
【請求項６】
前記無信号化は、ヌルパケット化或いは０埋め処理を施すことを特徴とする請求項４或いは請求項５記載の暗号化処理方法。
【発明の詳細な説明】
【０００１】
【発明の属する技術分野】
本発明は、著作権保護機能を有するチューナーモジュールに関する。
【０００２】
【従来の技術】
デジタル放送信号を機器間に伝送するためのバス規格であるＩＥＥＥ１３９４では、伝送される信号を暗号化して保護するＤＴＣＰ（５Ｃ  Ｄｉｇｉｔａｌ  Ｔｒａｎｓｍｉｓｓｉｏｎ  Ｃｏｎｔｅｎｔ  Ｐｒｏｔｅｃｔｉｏｎ）仕様が規定されている（非特許文献１参照）。
【０００３】
その公開資料によれば、デジタル放送信号を伝送するにあたり、機器間で相互に認証を行った後、伝送される信号を暗号化することで著作権を保護できることが説明されている。
【０００４】
【非特許文献１】
［平成１４年１０月３０日検索］、インターネット＜ＵＲＬ：ｈｔｔｐ：／／ｗｗｗ．ｄｔｃｐ．ｃｏｍ／ｄａｔａ／ｗｐ＿ｓｐｅｃ．ｐｄｆ＞
【０００５】
【発明が解決しようとする課題】
しかしながら上記ＤＴＣＰ仕様に記載された暗号化方法では、デジタル放送信号を暗号化する場合に、デジタル放送信号に含まれるすべてのコンテンツ及び制御信号を暗号化するために、それぞれの機器には暗号処理及び復号処理するためのハードウエア資源やこれを制御するソフトウエア資源が余分に必要であるという問題がある。
【０００６】
本発明は、上記問題を解決するために成されたもので、デジタル放送を受信しこのデジタル放送信号を効率的に暗号処理するチューナーモジュールを提供することを目的とする。
【０００７】
【課題を解決するための手段】
上記目的を達成するために、本発明は、デジタル放送を受信するアンテナからの信号を復調する復調手段と、
前記復調手段により復調された信号をデスクランブルするデスクランブラと、
受信機の認証をする認証処理手段と、
前記認証処理手段により前記受信機と相互に認証した後、前記受信機から選択支持されたコンテンツを含む前記デスクランブラからの信号を暗号化処理し、前記受信機から選択指示されなかったコンテンツを含む前記デスクラブラからの信号を無効信号化する暗号処理手段とを具備することを特徴とするチューナーモジュールを提供する。
【０００８】
このとき、前記暗号化処理手段は、著作権保護する必要のない信号をそのままの信号で、前記受信機に送信することが好ましい。
また、前記無信号化は、ヌルパケット化或いは０埋め処理を施すことが好ましい。
また、前記チューナーモジュールは、ＰＣカード、コンパクトフラッシュ（登録商標）、ＵＳＢ或いはＰＣＩバスを用いて前記表示装置と接続可能であることが好ましい。
【０００９】
こうすることで、例えばＰＣ（パーソナル・コンピュータ）やＰＤＡ（パーソナル・デジタル・アシスタンツ）等の汎用機器にチューナー等のフロントエンド処理部を内蔵したチューナーモジュールを接続して使用する場合、汎用機器のハードウエア資源及びソフトウエア資源を抑制することができる。
【００１０】
また、本発明は、デジタル放送を受信するアンテナからの信号を復調する復調手段、前記復調手段により復調された信号をデスクランブルするデスクランブラ、前記デスクランブラからの信号を暗号化する暗号処理手段及び機器の認証をする認証処理手段とを具備するチューナーモジュールと、少なくとも暗号化された信号を復号化する復号処理手段、ＭＰＥＧデコード処理手段及び機器の認証をする認証処理手段とを具備する受信機と接続してデジタル放送受信器として用いる場合、
【００１１】
前記チューナーモジュールは、前記認証処理手段により前記受信機と相互に認証した後、前記受信機から選択指示されたコンテンツを前記暗号処理手段により暗号化して及び前記受信機から選択指示されなかったコンテンツを無効信号化して前記受信機に送信することを特徴とする暗号化処理方法を提供する。
【００１２】
このとき、前記暗号化処理手段は、著作権保護する必要のない信号をそのままの信号で、前記受信機に送信することが好ましい。
また、前記無信号化は、ヌルパケット化或いは０埋め処理を施すことが好ましい。
【００１３】
【発明の実施の形態】
以下、本発明の実施形態について図面を用いて詳細に説明する。なお、本発明は、以下の実施形態に限定されるものではない。
図１は、本発明の実施形態に係わるチューナーモジュールを、例えばＰＣ（パーソナル・コンピュータ）やＰＤＡ（パーソナル・デジタル・アシスタンツ）等の汎用機器に接続したときのデジタル放送受信装置のブロック図である。
【００１４】
図１に示すように、本発明のチューナーモジュール１は、アンテナからの入力部１５と、このアンテナからの入力部１５から入力されたデジタル放送信号を復調するための復調手段２と、この復調手段２により復調された信号をデスクランブルするデスクランブラ３と、このデスクランブラ３によりデスクランブルされた信号を暗号化する暗号処理手段４とを具備している。また、その他の機器との相互認証処理をするための認証処理手段５と、相互認証処理用の暗号鍵記憶（もしくは予め決められた所定の方法で発生する発生）手段６と、ＥＭＭ、ＥＣＭ信号を処理するためのフィルタリング７とを具備している。なお、詳細な説明は省略するが復調手段２では選局やエラー訂正等もあわせて行うものとしている。
【００１５】
また、受信機８は、暗号化された信号を復号化する復号処理手段９と、ＭＰＥＧデコード１０と、著作権保護処理手段１１と、相互認証処理をするための認証処理手段１２と、相互認証処理用の暗号鍵記憶（もしくは予め決められた所定の方法で発生する発生）手段１３と、視聴可否判定手段１４とを具備している。
【００１６】
このチューナーモジュール１は、例えばＰＣやＰＤＡのコンパクトフラッシュ（登録商標）スロットにさし込んで接続して使用することができる。また、チューナーモジュール１とＰＣやＰＤＡ等で実現する受信機８との接続はＰＣカードＩ／Ｆ、ＵＳＢ、ＰＣＩバス等の汎用Ｉ／Ｆで接続することが可能であり、この場合Ｉ／Ｆ上でコンテンツの不正なコピーを防止する必要から著作権保護を行う必要がある。
【００１７】
以下の説明では、受信機８としてＰＤＡを、汎用Ｉ／ＦとしてＰＣカードバスを想定し、説明を進めるものとする。
図１に示すようにチューナーモジュール１とＰＤＡ８とが接続された状態で、電源を入れた時もしくはチューナーモジュール１とＰＤＡ８とを接続した時に、ＰＤＡ８とチューナーモジュール１は相互認証を行う。
【００１８】
相互認証は例えば、事前にＰＤＡ８とチューナーモジュール１間で共有している相互認証鍵を利用して行うものであって、例えば共通鍵暗号方式を利用し、以下のような手順で処理する。
【００１９】
先ず、ＰＤＡ８の認証処理手段１２からチューナーモジュール１の認証処理手段５に対し乱数を送信する。チューナーモジュール１はその乱数を、相互認証処理用の暗号鍵記憶手段６からの相互認証処理用の暗号鍵を使用して暗号化する。そしてこの暗号化された乱数を、認証処理手段５を介して、ＰＤＡ８の認証処理手段１２に送信する。
【００２０】
次に、ＰＤＡ８はチューナーモジュール１から送られてきた暗号化した後の乱数と、ＰＤＡ８自身で乱数を暗号化した暗号化乱数を比較する。この結果両データが一致した場合、ＰＤＡ８からチューナーモジュール１が予め決められた相互認証鍵を所有していることが確認される。
【００２１】
上記の手順では先ずＰＤＡ８からチューナーモジュール１に乱数を送信した場合について説明した。逆に、チューナーモジュール１からＰＤＡ８に乱数を送信する場合について説明する。
【００２２】
先ず、チューナーモジュール１の認証処理手段５からＰＤＡ８の認証処理手段１２に対し乱数を送信する。ＰＤＡ８はその乱数を、相互認証処理用の暗号記憶手段１３から得た相互認証処理用の暗号鍵を使用して暗号化する。そしてこの暗号化された乱数を、認証処理手段１２を介して、チューナーモジュール１の認証処理手段６に送信する。
【００２３】
次に、チューナーモジュール１はＰＤＡ８から送られてきた暗号化した後の乱数と、チューナーモジュール１自身で乱数を暗号化した暗号化乱数を比較する。この結果両データが一致した場合、チューナーモジュール１からＰＤＡ８が予め決められた相互認証鍵を所有していることが確認される。
【００２４】
このようにしてチューナーモジュール１とＰＤＡ８相互の認証処理が完了する。このとき相互に発生するデータは乱数であるので、例えば前回の認証時のデータを記憶しておいて当回に流用することは困難であり、セキュリティーは保たれる。
【００２５】
なお、ここでは相互認証処理用の暗号鍵は事前に、秘密裏にチューナーモジュール１及びＰＤＡにて共有していることが前提である。
また相互認証の方式に関しては、ここで説明した方法に限るものではなく、例えば公開鍵暗号方式を利用したものであっても良い。
次に、相互認証が完了した後、ＰＤＡ８とチューナーモジュール１は、以後の暗号処理で使用するセッション鍵を共有する。ここでいうセッション鍵とは、相互認証処理を行うごとに異なる鍵とするよう生成する鍵であって、例えば乱数を利用して生成する鍵である。
【００２６】
すなわち、前回のセッション鍵を使用して、当回の放送コンテンツを暗号或いは復号できないようにすることで、著作権保護のセキュリティーを向上させるものである。このときセッション鍵をＰＤＡ８で生成する場合或いはチューナーモジュール１で生成する場合或いはＰＤＡ８とチューナーモジュール１で生成したデータを合成して生成する場合等考えられる。
【００２７】
また、ＰＤＡ８とチューナーモジュール１でセッション鍵を共有化した後、そのセッション鍵を使用して、ＰＤＡ８とチューナーモジュール１間を伝送する信号を暗号保護するものである。
【００２８】
以上の処理をＰＤＡ８で行う場合、ＰＤＡ８内においてはソフトウエア処理することを想定する。
なお暗号処理をＰＤＡ８内のメインのＣＰＵとは別のコプロセッサを用意し、処理してもよい。
次に、チューナーモジュール１からＰＤＡ８に送信する信号を分類する方法について説明する。ここでは（１）暗号保護すべき信号、（２）暗号保護する必要のない信号及び（３）不要な信号について説明する。
【００２９】
アンテナ入力等チューナー１５で受信されたデジタル放送信号は、チューナーモジュール１で復調され暗号化された後ＰＤＡ８へ伝送される。この放送信号の形態はトランスポートストリーム（以下ＴＳ）の形式である。ＴＳはＭＰＥＧ方式で規定されている規格であり詳細は説明しないが、放送コンテンツ（映像、音声データもしくはデータ放送向けデータ）や、放送コンテンツを受信するための付加情報を多重して伝送する規格であり、１つのＴＳに複数の放送コンテンツを含めることも可能である。
【００３０】
また、複数の放送コンテンツを受信するための付加情報は例えばＳＩ／ＰＳＩデータであり、どの放送コンテンツがどのＴＳパケットで伝送されるのかなど、視聴者が番組を選択し、受信機が選択したコンテンツを選局し、受信する際に使用するデータである。これらのＳＩ／ＰＳＩデータうち、視聴者が番組を選択する際に視聴者に提示されるデータを特にＥＰＧ（電子プログラムガイド）とよぶ。
【００３１】
受信機ではこのＥＰＧデータを利用して、例えば新聞のテレビ欄の様な番組ガイド画面を視聴者に提示し、視聴者が番組の選択を容易にできるようにしている。
この実施形態では、ＳＩ／ＰＳＩデータは一部を除いて、ＰＤＡ８とチューナーモジュール１間を伝送する信号として（２）の暗号保護する必要のない信号として扱う。なお、ＳＩ／ＰＳＩデータのうち一部の暗号保護すべきデータというのは、有料放送や著作権を保護するための無料スクランブル放送において使用されるデータであって、例えば、放送局側から受信機器或いは受信機器に接続された機器でコンテンツを蓄積したりコピーをしたりすることを制限する情報である。
【００３２】
この有料放送や著作権を保護するための無料スクランブル放送に使用されるデータはＰＤＡ８とチューナーモジュール１間を伝送する際に改ざんされると、放送局側の意に反してコピーされたり、蓄積されたりして、著作権を保護できなくなる懸念がある。したがって本実施形態ではこれら有料放送や著作権を保護するための無料スクランブル放送に使用されるデータは（１）の暗号保護すべき信号して処理する。
【００３３】
以下に、これら有料放送や著作権を保護するための無料スクランブル放送に使用されるデータの一例を挙げる。なお、これらのデータは今後、放送局側から受信機器および受信機器に接続された機器で放送コンテンツが蓄積されたりコピーされたりすることを制限する情報が追加指定された場合には同様に、（１）の暗号保護すべき信号として処理する。
【００３４】
（ａ）デジタルコピー制御記述子：デジタル記録機器におけるコピー世代を制御する情報を示す。
（ｂ）コンテント利用記述子：記録や出力を制御する情報を示す。
なお、これらデジタルコピー制御記述子及びコンテント利用記述子は現在日本のデジタル放送向けには規定されているものであって、詳細は、財団法人電波産業会の標準規格「デジタル放送に使用する番組配列情報（ＡＲＩＢ  ＳＴＤ−Ｂ１０  ３．４版）」を参照されたい。
【００３５】
この他放送コンテンツを受信するための付加情報として、有料放送や著作権を保護するための無料スクランブル放送におけるデータでＥＣＭデータ、ＥＭＭデータがあげられる。このＥＣＭデータ、ＥＭＭデータは、チューナーモジュール１のフィルタリング７にてフィルタリングし、ＰＤＡ８に与えるようになっており、ＰＤＡ８では以下に示すように、ＥＣＭデータ、ＥＭＭデータを使用して、受信したスクランブル放送をデスクランブルするか否かの視聴可否判定処理１４を行うようになっている。
【００３６】
ＥＭＭデータは個々の視聴者の視聴契約（視聴可否）に関連する情報であり、例えば有料放送の場合、どのチャンネルもしくはどのコンテンツを視聴可能かどうか示す情報であり、契約の期限、契約しているチャンネルもしくはどのコンテンツを視聴することが可能か等を示すデータである。
【００３７】
また、ＥＭＭデータの一部のデータとして定義され、契約のある視聴者に放送側から与えられるのがワーク鍵と呼ばれる鍵データであり、ワーク鍵を用いてＥＣＭデータを暗号処理或いは復号処理を行うようになっている。
【００３８】
また、このＥＭＭデータも放送側で暗号化され受信機に伝送されるが、受信機側に予め（製造時等）組み込まれているマスター鍵と呼ばれる鍵データを使用して受信機で暗号復号し、利用する。なおマスター鍵を個々の受信機ごとに変えるようにすれば、放送側は受信機を個々に視聴可否制御できるようになるものであり、有料放送の場合には個々の受信機ごとに変えるようにしている。
【００３９】
一方、著作権を保護するためのスクランブル放送といって、無料放送コンテンツの著作権保護を目的としたスクランブル放送では、受信機個々にマスター鍵を変えることはせず、受信機メーカーごと或いは受信機の型番ごとなど、ある程度まとまった単位でマスター鍵を変えている。著作権保護処理として問題を生じた場合その問題となる「受信機の型番ごと」などの単位で視聴ができないように放送局側から制御するようにする。
【００４０】
ＥＣＭデータはＥＭＭデータと組み合わせて使用するデータである。このＥＣＭデータは、例えば、チャンネル或いは番組コンテンツに関連する情報であり、スクランブルされている番組コンテンツに使用しているスクランブル鍵データの他、その番組コンテンツの放送日時など視聴可否に使用する条件データ等で構成される。このＥＣＭデータとＥＭＭデータを受信機で照らし合わせることにより、その番組コンテンツを視聴しても良いかどうかの判定を受信機で行い、視聴可となった場合に、ＥＣＭデータ内のスクランブル鍵情報を使用して、番組コンテンツをデスクランブルし視聴するものである。
【００４１】
本実施形態では、以上説明したＥＣＭデータ、ＥＭＭデータをＰＤＡ８とチューナーモジュール１間を伝送する信号として（１）の暗号保護すべき信号として処理する。このＥＣＭデータ、ＥＭＭデータは元々放送局側で暗号化されて伝送され、伝送されたままの暗号化状態でＰＤＡ８とチューナーモジュール１間を伝送されるものである。しかしながらＰＤＡ８とチューナーモジュール１間においてデータを観察するのは容易であり、ＥＣＭデータ、ＥＭＭデータの暗号を解析されるリスクが増すことから、リスクを低減するために（１）の暗号保護すべき信号として処理する。
【００４２】
また、本実施形態では、ＥＣＭデータ、ＥＭＭデータを利用した視聴可否判定処理はＰＤＡ８で行うものとしているほか、コンテンツのデスイクランブルはチューナーモジュール１のデスクランブラ３で行うこととしている。
【００４３】
また、ＭＰＥＧ方式による放送では、視聴者が選択しＰＣ等で表示すべき所望の放送コンテンツ以外の放送コンテンツも多重されることがある。例えば、１つのＴＳに複数の放送コンテンツを含むことも可能である。この場合、本実施形態では、以下のように（１）の暗号保護すべき信号、（２）の暗号処理する必要のない信号、（３）の不要な信号と分類する。
【００４４】
先ず、アンテナ入力部１５から受信されたデジタル放送信号のうちＥＭＭデータ、ＥＣＭデータはフィルタリング７を介してＰＤＡ８の視聴可否判定手段１４に入力される。このとき視聴者が視聴もしくはＰＤＡ８内に蓄積（記憶）等するように選択した番組コンテンツをＰＤＡ８とチューナーモジュール１間を伝送する信号として（１）の暗号保護すべき信号として処理する。
【００４５】
すなわちＰＤＡ８の視聴可否判定手段１４にて視聴者が選択した番組コンテンツを暗号処理するようにスクランブル鍵をデスクランブラ３に送信する。所望の番組コンテンツはこのデスクランブラ３でデスクランブルされた後、暗号処理手段４に送信され暗号化される。暗号化された所望の番組コンテンツの暗号化データはＰＤＡ８の復号処理手段９に送信され復号化される。復号化された所望の番組コンテンツはＭＰＥＧデコード１０でデコードされ著作権保護処理１０にて著作権保護された後、表示装置等の出力部１６に出力される。
【００４６】
また、視聴者が視聴もしくはＰＤＡ８内に蓄積（記憶）等するように選択した番組コンテンツを含むＴＳに多重された選択しない番組コンテンツは（３）の不要な信号として処理する。この場合、視聴者が選択していないコンテンツであるため、ＰＤＡ８とチューナーモジュール１間を伝送しないものとする。具体的にはこの選択しない番組コンテンツのＴＳパケットデータをヌルパケット（ＴＳパケットヘッダ部のＰＩＤが０ｘ１ＦＦＦ）とする或いは０穴埋め処理をする。こうして不要なデータは暗号処理も復号化処理も施す必要が無いためチューナーモジュール１の暗号処理手段４に必要なハードウエアもしくはソフトウエアリソース及びＰＤＡ８の復号処理手段９に必要なハードウエアもしくはソフトウエアリソースを節約することができる。
【００４７】
また、その他のデータは（２）の暗号処理する必要のない信号としてそのまま暗号処理を施さずチューナーモジュール１からＰＤＡ８に送信する。こうすることで暗号処理する必要のない信号は、暗号処理も復号処理も施す必要が無いためチューナーモジュール１の暗号処理手段４に必要なハードウエアもしくはソフトウエアリソース及びＰＤＡ８の復号処理手段９に必要なハードウエアもしくはソフトウエアリソースを節約することができる。
【００４８】
図２に、本実施形態で扱うデータと処理の関係を示す。
図２に示すように、ＴＳパケットとして選局（選択）された番組コンテンツは（１）の暗号処理が必要な信号として暗号処理をして送信する。
ＴＳパケットとしてＳＩ／ＰＳＩパケットのうちコピー制御記述子など著作権保護の受信制御に使用されるデータは（１）の暗号処理が必要な信号として暗号処理をして送信する。
【００４９】
ＴＳパケットとしてその他のＳＩ／ＰＳＩパケットは（２）の暗号処理が必要のない信号としてそのままの信号で送信する。
選局（選択）されない番組コンテンツはヌルパケットか或いは０埋め込み処理をして送信する。
以上の処理により最低限必要なデータのみ暗号処理することで、チューナーモジュールの暗号処理手段に必要なハードウエアもしくはソフトウエアリソース及び受信機の復号処理手段に必要なハードウエアもしくはソフトウエアリソースを節約することができる。
【００５０】
さらに細かくは、図３に示すように番組コンテンツのスクランブル状態によって分類することにより、チューナーモジュールの暗号処理手段に必要なハードウエアもしくはソフトウエアリソース及び受信機の復号処理手段に必要なハードウエアもしくはソフトウエアリソースを節約することができる。
【００５１】
すなわち、選局（選択）された番組コンテンツのうち、スクランブルされたコンテンツで、図１に示すＭＵＬＴＩ２デスクランブラ３にてデスクランブルしたデータは（１）の暗号処理が必要な信号として暗号処理を行い、選局（選択）された番組コンテンツであっても、スクランブルされずに放送されたコンテンツに関しては（２）の暗号処理が必要のない信号とするものである。
【００５２】
【発明の効果】
本発明は、デジタル放送を受信しこのデジタル放送信号を効率的に暗号処理するチューナーモジュールを提供することを可能とする。
【図面の簡単な説明】
【図１】本発明の実施形態に係るチューナーモジュールと受信機とが接続された関係にある受信装置のブロック図。
【図２】本発明の実施形態に係るチューナーモジュールで扱うコンテンツデータと処理との関係を示す表。
【図３】本発明の実施形態に係るチューナーモジュールで扱うコンテンツデータと処理との関係を示す表。
【符号の説明】
１・・・チューナーモジュール
２・・・復調手段
３・・・デスクランブラ
４・・・暗号処理手段
５・・・相互認証手段
６・・・相互認証処理用の暗号鍵発生手段
７・・・フィルタリング
８・・・受信機
９・・・暗号処理手段
１０・・・ＭＰＥＡＧデコード
１１・・・著作権保護処理
１２・・・相互認証処理手段
１３・・・相互認証処理用の暗号鍵発生手段
１４・・・視聴可否判断手段
【図１】
2004173027.tif 000003
【図２】
2004173027.tif 000004
【図３】
2004173027.tif 000005